【手続補正書】
【提出日】平成26年2月28日(2014.2.28)
【手続補正１】
【補正対象書類名】明細書
【補正対象項目名】全文
【補正方法】変更
【補正の内容】
【発明の詳細な説明】
【発明の名称】交換情報の管理システム。
【技術分野】
【０００１】
本発明は、物品と物品とを交換する交換サービスを実施する際に、交換サービスに関する情報を管理する、交換情報の管理システムと、交換情報を基に交換可能かを判別する交換情報の判別システムに関するものである。
【背景技術】
【０００２】
物品と物品を交換する交換サービスにおいて、物品から物品へ交換情報を移行するようなシステムはなかった。
【０００３】
また、定額制の交換サービスもなかった。
【発明の概要】
【発明が解決しようとする課題】
【０００４】
本発明の充電システムは、２次電池の交換システムをサービスとして利用者に提供する際に、管理者側の交換情報の管理を容易且つ確実にすることと、サービスの利用者の利便性を高めることと、を課題としている。
【０００５】
また、より利用者の利便性を高めるサービスとして、定額制のサービスを行えるようにすることも課題としている。
【課題を解決するための手段】
【０００６】
課題を解決するための請求項１記載の交換情報の管理システムは、交換の対象物に具備する記憶手段と、対象物の記憶手段の情報を読み込む読み込み手段と、対象物の記憶手段に情報を書き込む書込み手段と、情報を処理する処理手段と、からなる、交換情報の管理システムであって、処理手段が対象物の記憶手段の情報を基にした情報を、別の対象物の記憶手段に書き込む処理を行うことを特徴とする。
【０００７】
課題を解決するための請求項２記載の交換情報の管理システムは、情報を記憶する記憶手段を具備する２次電池と、２次電池の記憶手段の情報を読み込む読み込み手段と、前記２次電池の記憶手段に情報を書き込む書込み手段と、情報を処理する情報の処理手段と、からなる、使用済みの２次電池と、充電済みの２次電池と、を交換するための２次電池の交換システムであって、処理手段が使用済みの２次電池の記憶手段の情報を基にした情報を、充電済みの２次電池の記憶手段に書き込む処理を行うことを特徴とする。
【０００８】
課題を解決するための請求項３記載の交換情報の管理システムは、交換の対象物に具備する記憶手段と、携帯可能な記憶手段と、記憶手段に情報を書き込む書込み手段と、記憶手段の情報を読み込む読み込み手段と、情報の処理手段と、からなる、交換システムであって、処理手段が、対象物の記憶手段、および、携帯可能な記憶手段、の少なくとも１つに、交換により入手する対象物と、携帯可能な記憶手段と、を関連付ける情報を書き込む処理を行うことを特徴とする。
【０００９】
課題を解決するための請求項４記載の交換情報の管理システムは、請求項１および請求項３において、交換の対象物が２次電池であることを特徴とする。
【００１０】
課題を解決するための請求項５記載の交換情報の管理判別システムは、請求項１および請求項２および請求項４の少なくとも１つにおいて、交換の対象物を交換することが可能かを判別するための判別手段を具備することを特徴とする。
【００１１】
課題を解決するための請求項６記載の交換情報の判別システムは、携帯可能な記憶手段と、携帯可能な記憶手段の情報を読み込む読み込み手段と、読み込み手段により読み込んだ情報が、交換条件を満たすかを判別するための判別手段と、
からなる、交換システムであって、判別手段が、前記読み込み手段が読み込んだ利用履歴を基に交換の可否の判別を行う事を特徴とする、交換情報の管理判別システム。
【００１２】
課題を解決するための請求項７記載の交換方法は、請求項５および請求項７の少なくとも１つの管理判別システムを用いた交換方法であって、判別結果をもとに交換を行う事を特徴とする。
【発明の効果】
【００１３】
請求項１記載の交換情報の管理システムによれば、物品の情報を基にした情報を別の物品に書き込むことで、物品から物品への交換情報の移行が可能となる。
【００１４】
請求項２記載の交換情報の管理システムによれば、使用済みの前記２次電池の情報を基にした情報を充電済みの前記２次電池に書き込むことで、使用済みの２次電池から充電済みの２次電池への交換情報の移行が可能となる。また、交換システムの利用者が交換システムの利用に関する情報を２次電池のみで管理できるため、２次電池以外の管理手段を交換システムの利用者が所持する必要はなくなり利便性が向上する
【００１５】
請求項３記載の交換情報の管理システムによれば、交換により入手する前記対象物と、前記携帯可能な記憶手段と、を関連付ける情報を書き込む処理を行うことで、交換の対象物を限定することが可能となる。
【００１６】
請求項５記載の交換情報の管理判別システムによれば、交換情報の管理と交換情報の判別が可能となり利便性が向上する。
【００１７】
請求項６記載の交換情報の管理判別システムによれば、利用履歴を基に交換の可否の判別を行う事で、交換を行ってから次の交換を行うまでの時間を調整することが可能となる。
【発明を実施するための形態】
【００１８】
交換の対象物に具備する記憶手段と、
前記対象物の記憶手段の情報を読み込む読み込み手段と、
前記対象物の記憶手段に情報を書き込む書込み手段と、
情報の処理手段と、
から、交換情報の管理システムを構成する。
読み込み手段と書込み手段とは、１つのものとして構成し、読み書き手段としてもよい。
【００１９】
交換情報の管理システムのうち、交換の対象物は交換サービスを利用する側が所持し、書込み手段と、読み込み手段と、情報の処理手段と、は関連性をもつ機器として、交換サービスを管理する側が所持もしくは設置するものである。
【００２０】
情報の処理手段は、情報の処理を行えるものであればよい。例えばＣＰＵのようなものでよく、この限りでは無い。交換の対象物に具備する記憶手段が情報の処理能力を備える場合には、交換の対象物に具備する記憶手段が情報の処理手段を兼ねてもよい。
【００２１】
情報の処理手段は、読み込み手段が読み込んだ交換情報を基にした交換情報を、書込み手段を用いて記憶手段に書き込む処理を行う。このとき、書込む情報の基となった情報は削除するか別の情報を上書きすることが望ましい。
【００２２】
情報の処理手段が処理を行う為のプログラムは交換の対象物に具備する記憶手段に記憶しておいてもよいし、書込み手段、読み込み手段、処理手段、の少なくとも１つに記憶手段を具備し記憶してもよいし、交換の対象物に具備する記憶手段、書込み手段、読み込み手段、処理手段、とは別に記憶装置として記憶手段を交換情報の管理手段に加え記憶してもよい。
【００２３】
記憶手段は、情報を記憶できるものであればよい。例えば、半導体による記憶手段や、磁気による記憶手段や、光学による記憶手段などがあり、情報を記憶できれば良くこの限りでは無い。周知のものとして、ＩＣチップやフラッシュメモリ、磁気カード、磁気記憶装置、ホログラフィックメモリ、分子メモリなどがある。
【００２４】
交換の対象物に記憶手段を具備する際は着脱不可能とすることが望ましいが、直脱可能でもよい。記憶手段を具備する方法としては、着脱不可能とする場合は交換の対象物自体がもつ性能を失わないように、交換の対象物に埋設し着脱不可能としたり、交換の対象物に接着し着脱不可能としたり、交換の対象物の包装の一部とし着脱不可能としたり、すればよくこの限りではなく記憶手段を着脱不可能な状態で具備できればよい、着脱可能とする場合は、交換の対象物にケースを付加するようにし、ケースに記憶手段を、埋設したり、接着したり、することで着脱可能としたり、交換の対象物に記憶手段の設置部を設け着脱可能としたり、すればよくこの限りではなく記憶手段を着脱可能な状態で具備できればよい。
【００２５】
交換の対象物に具備する記憶手段は、交換情報として、利用期限情報、利用可能回数情報、識別情報、残高情報、使用者情報、利用履歴情報、などのうち少なくとも１つの情報を記憶する。
【００２６】
利用期限情報は交換サービスを利用できる期限の事である。例えば、交換サービスの利用を開始した日を開始日、交換サービスを利用できる期間の終了日を終了日、交換サービスを利用できる日数を日数とすると、利用期限情報は、開始日と終了日を関連付けたものや、終了日や、開始日と日数を関連付けたものや、などである、ただしこの限りではなく交換サービスを利用できる期限に関するものであればよい。またこのときの開始日、終了日、日数、は時や分や秒などの時間の単位などでより細かく設定してもよい。
【００２７】
利用期限情報は例えば、２０１１年２月２０日０時００分から２０１１年２月２８日０時００分までを利用期限とする場合は、開始日は２０１１年２月２０日０時００分となり、終了日は２０１１年２月２８日０時００分となり、日数は８日となる。
【００２８】
利用可能回数情報は交換システムを利用できる回数である。
【００２９】
識別情報は識別するための情報であり、識別子としてのＩＤなど固有の情報である。
【００３０】
残高情報は交換サービスの利用料金を先払いした場合の、先払いされた利用料金の残高である。
【００３１】
使用者情報は２次電池の使用者に関する情報である。
【００３２】
利用履歴情報は２次電池の交換サービスの利用履歴に関する情報である。例えば、最後に交換サービスを利用した、年月日や時刻の情報である。
【００３３】
読み込み手段は、記憶手段から情報を読み込めるものであればよい。接触型の読み込み手段、非接触型の読み込み手段、などの種類があり、磁気メモリから情報の読み込みを行う読み込み手段、半導体メモリから情報の読み込みを行う読み込み手段、などから記憶手段に応じて最適のものを用いれば良くこの限りではない。周知のものとして、ＩＣリーダ、磁気リーダ、などがある。
【００３４】
書込み手段は、記憶手段に情報の書込みを行えるものであればよい。例えば接触型の書込み手段、非接触型の書込み手段、などの種類があり、磁気メモリに情報の書込みを行う書込み手段、半導体メモリに情報の書込みを行う書込み手段、などから記憶手段に応じて最適のものを用いれば良くこの限りではない。周知のものとして、ＩＣライタ、磁気ライタなどがある。
【００３５】
処理手段が書込み手段を用いて書き込む情報は、読み込み手段を用いて読み込んだ情報を基にしたものである。
【００３６】
読み込み手段が読み込んだ交換情報が利用期限情報であった場合、処理手段は利用期限情報を書き込む処理を行う事が望ましい。書き込む情報は例えば、基の利用期限情報が終了日であり、終了日が２０１０年２月１日であった場合は、利用期限情報として、終了日が２０１０年２月１日であるという情報を書き込む、利用期限情報が開始日と日数であり、開始日が２０１０年１月１日、日数が１０日であった場合は、利用期限情報として、開始日が、２０１０年１月１日、日数が１０日であるという情報を書き込む、また、開始日と日数から終了日を算出し開始日と日数を終了日に変更して書き込むなど利用期限情報を基に情報を変更し書き込んでもよい。
【００３７】
読み込み手段が読み込んだ交換情報が利用可能回数情報であった場合、処理手段は利用可能回数情報を書き込む処理を行う事が望ましい。書き込む情報は例えば、基の利用可能回数情報が１０回利用可能という情報であった場合は、利用可能回数情報として利用可能回数を１回減らした９回利用可能という情報を書き込む。
【００３８】
読み込み手段が読み込んだ交換情報が残高情報であった場合、処理手段は残高情報を書き込む処理を行う事が望ましい。書き込む情報は例えば、基の残高情報が残高５００円で利用時に必要な残高が３００円であった場合は、残高情報として残高を３００円減らした残高２００円という情報を書き込む。
【実施例１】
【００３９】
交換情報の管理システムを、
２次電池を交換の対象物とし、記憶手段としてＩＣチップを２次電池に具備し、
２次電池のＩＣチップに情報を書き込む書込み手段としてのＩＣライタと、
２次電池のＩＣチップの情報を読み込む読み込み手段としてのＩＣリーダと、
処理手段としてのＣＰＵと、
から構成し、
判別手段を加え交換情報の管理判別システムとする。
【００４０】
処理手段は使用済みの２次電池からＩＣリーダを用いて交換情報を取得し、書込み手段を用いて充電済みの２次電池に使用済みの２次電池から取得した情報を書き込む処理を行う。この時情報の書き込みは、判別手段による判別結果が交換可能であった場合にのみ可能とすることがより望ましい。
【００４１】
ＩＣチップを具備した２次電池にＩＣチップの情報をより確実に送受信できるように交換情報の送受信用のアンテナを具備してもよい。
【００４２】
２次電池は、充電が可能な電池であればよく、形状や、種類などを限定するものではない。例えば、形状としては、車両に搭載されているようなもの、携帯型の機器に搭載されているようなもの、乾電池型のもの、ボタン型のものなどがあり、種類としては、リチウムイオン、ニッケル水素などがあり、形状、および、種類、は交換サービスの実施に最適なものを用いればよくこの限りではない。
【００４３】
２次電池に記憶手段を具備する際は着脱不可能とすることが望ましいが、直脱可能でもよい。記憶手段を具備する方法としては、着脱不可能とする場合は２次電池としての性能を失わないように、２次電池に埋設し着脱不可能としたり、２次電池に接着し着脱不可能としたり、２次電池の包装の一部とし着脱不可能としたり、すればよくこの限りではなく記憶手段を着脱不可能な状態で具備できればよい、着脱可能とする場合は、２次電池にケースを付加するようにし、ケースに記憶手段を、埋設したり、接着したり、することで着脱可能としたり、２次電池に記憶手段の設置部を設け着脱可能としたり、すればよくこの限りではなく記憶手段を着脱可能な状態で具備できればよい。
【００４４】
２次電池に具備される記憶手段は、交換情報として利用期限情報、利用可能回数情報、識別情報、残高情報、使用者情報、利用履歴情報、などのうち少なくとも１つの情報を記憶する。
【００４５】
処理手段と判別手段とは、同様のＣＰＵを用いて処理や判別を行えば良く、処理や判別を行う為のプログラムは、２次電池の記憶手段に記憶しておくか、交換システムの一部として記憶装置を加え記憶しておけばよい。また処理手段と、判別手段と、は別のＣＰＵや記憶手段を用いるようにしてもよい
【００４６】
判別手段は、２次電池の記憶手段が、利用期限情報を記憶する場合は例えば、年月日や時刻の管理手段を判別手段に具備し、管理手段が管理する年月日や、時刻と、利用期限情報を比較し判別する。例えば、利用期限情報が終了日を含む情報である場合は、終了日と、判別手段が管理する年月日や時刻を比較し終了日を過ぎていないかを判別する、利用期限情報が開始日と日数を関連付けたものである場合は、開始日に日数を加算し、加算したあとの年月日や時刻を終了日として、判別手段が管理する年月日や時刻と比較し終了日を過ぎていないかを判別する。年月日や時刻の管理手段としてはパソコンなどのコンピュータに用いられているようなものや、携帯電話に用いられているようなものなど周知のものから最適のものを用いればよい。
【００４７】
２次電池の記憶手段が、利用期限情報を記憶する場合の判別手段の判別結果の一例として、交換システムの利用場所が日本で、日本の年月日が、２０１０年１月３１日の場合で説明する。２次電池の記憶手段が記憶する利用期限情報としての終了日が２０１０年２月１日であった場合は交換可能という判別になり、２次電池の記憶手段が記憶する利用期限情報としての終了日が２０１０年１月３０日であった場合は交換不可能という判別になり、２次電池の記憶手段が記憶する利用期限情報としての開始日が２０１０年１月１日、日数が１０日であった場合は交換不可能という判別になり、２次電池の記憶手段が記憶する利用期限情報としての開始日が２０１０年１月１日、日数が４０日であった場合は交換可能という判別になる。ここでは例として年月日のみを用いて説明したが、より細かく時刻までを設定し判別しても良いし、年のみや、月のみや、日のみや、年月のみや、月日のみや、など大まかに設定しても良い。
【００４８】
判別手段は、２次電池の記憶手段が、利用可能回数情報を記憶する場合は、利用可能回数が残っているかを判別する。
【００４９】
２次電池の記憶手段が、利用可能回数情報を記憶する場合の判別手段の判別結果の一例として、利用可能回数が１０回の場合、利用可能回数が１回の場合、利用可能回数が０回の場合、で説明する。利用可能回数が１０回の場合は交換可能という判別になり、利用可能回数が１回の場合も交換可能という判別になり、利用化の回数が０回の場合は交換不可能という判別になる。
【００５０】
判別手段は、２次電池の記憶手段が、残高情報を記憶する場合は、交換する際に必要な残高が残っているかを判別する。
【００５１】
２次電池の記憶手段が、残高情報を記憶する場合の判別手段の判別結果の一例として、交換する際に必要な残高が１００円の場合で説明する。２次電池が記憶する残高情報が１００円であった場合は交換可能という判別となり、残高情報が０円であった場合は交換不可能という判別になり、残高情報が５００円であった場合は交換可能という判別になり、残高情報が９０円であった場合は交換不可能という判別になる。
【００５２】
判別手段は、例えば、２次電池の記憶手段が、使用者情報を記憶する場合は交換条件に合う使用者かを確認し判別する。
【００５３】
判別手段は、２次電池の記憶手段が、利用履歴情報を記憶する場合は最後に交換サービスを利用した時からの経過時間が、交換条件を満たすかを判別する。例えば、年月日や時刻の管理手段を判別手段に具備し、管理手段が管理する年月日や、時刻と、利用履歴情報を比較し経過時間を算出し判別する。年月日や時刻の管理手段としてはパソコンなどのコンピュータに用いられているようなものや携帯電話に用いられているようなものなど周知のものから最適のものを用いればよい。
【００５４】
最後に利用した時として２０１１年２月２０日０時００分が利用履歴情報であり、再度交換しようとしている時が２０１１年２月２０日０時２０分の場合を例として判別結果の一例を説明する。交換条件としての経過時間が２０分経過していることであった場合、交換可能という判別となり、経過時間が２１分経過していることであった場合判別不可能という判別となる。
【実施例２】
【００５５】
交換情報の管理システムを、
携帯可能な記憶手段としてのＩＣカードと、
情報を記憶する記憶手段としてＩＣチップを具備する２次電池と、
情報を書き込む書込み手段としてのＩＣライタと、
情報を読み込む読み込み手段としてのＩＣリーダと、
情報の処理手段及としてのＣＰＵと、
から構成し、
判別手段を加え、交換情報の管理判別システムとする。
【００５６】
実施例２において、ＩＣカードと、ＩＣチップを具備する２次電池と、は交換情報として同一の識別情報を記憶し、ＩＣカードと、ＩＣチップを具備する２次電池と、の少なくとも１つは交換情報として利用期限情報を記憶する。
【００５７】
同一の識別情報を記憶する方法としては、ＩＣカードとＩＣチップとのどちらか一方に予め固有の識別情報を記憶しておき、交換の際に識別情報を記憶している方とは別の一方に書き込むことで同一の識別情報を記憶するか、交換の際にＩＣカードとＩＣチップとに同一の識別情報を書き込むことで記憶すれば良い。このとき識別情報を書き込む処理はＣＰＵが行い書込み手段により書き込む。
【００５８】
同一の識別情報を記憶する例として、２次電池のＩＣチップが識別情報を記憶しており識別情報が２０１２であった場合は、ＣＰＵはＩＣチップから読み込み手段により識別情報２０１２を読み込み、ＩＣカードに識別情報として２０１２を書込み手段により書き込む処理を行う。
【００５９】
実施例２において、判別手段による判別結果は、ＩＣカードと、ＩＣチップを具備する２次電池と、が同一の識別情報を記憶している場合は交換可能という判別結果となり、ＩＣカードと、ＩＣチップを具備する２次電池と、が同一の識別情報を記憶していない場合は交換不可能という判別結果となる。例えば、ＩＣカードに記憶されている識別情報が２０１２の場合、ＩＣチップを具備する２次電池に記憶されている識別情報が２０１２であれば交換可能という判別になり、ＩＣチップを具備する２次電池に記憶されている識別情報が２０１３や２０１１や４５６７などＩＣカードに記憶されている識別情報と異なる、もしくは識別情報が存在しない、のであれば交換不可能という判別になる。
【実施例３】
【００６０】
携帯可能な記憶手段としてのＩＣカードと、
携帯可能な記憶手段の情報を読み込む、読み込み手段としてのＩＣリーダと、前記読み込み手段により読み込んだ情報が、交換条件を満たすかを判別するための判別手段としてのＣＰＵと、
から交換情報の判別システムを構成する。
【００６１】
実施例３において携帯可能な記憶手段は、交換情報として利用履歴情報と利用期限情報、を記憶する。
【００６２】
判別手段は利用履歴情報と、利用期限情報を基に判別を行う。利用履歴情報もしくは、利用期限情報のどちらか一つの判別結果が交換不可能であった場合、最終的な判別結果は交換不可能とすることが望ましい。
【実施例４】
【００６３】
交換の対象物を２次電池とし、実施例１から３までの交換情報の管理判別システムおよび判別システムに判別結果の表示手段と新たに交換システムを利用する際もしくは交換情報を変更する際に交換情報を書き込む第２の書込み手段を加え、交換システムとする。交換システムの交換対象物が２次電池の場合２次電池の充電手段も加えることがより望ましい。
【００６４】
実施例４の交換システムを利用した交換サービスについて説明する。
【００６５】
実施例４の交換システムを利用した交換サービスは、交換サービスの実施者が交換システムを利用して交換を行うものである。
【００６６】
実施例１の交換情報の管理判別システムに表示手段を加えた場合の利用の流れを説明する、交換サービスの実施者は使用済みの２次電池を交換サービスの利用者から受け取ると、受け取った使用済みの２次電池をＩＣリーダの読み込み位置に持っていき、交換情報の読み込み及び判別を行う。表示手段が表示する判別結果が交換可能であった場合、充電済みの２次電池をＩＣライタの書込み位置に持っていき、交換情報の書込みを行い、書込みを行った充電済みの２次電池を利用者に渡し、表示手段が表示する判別結果が交換不可能であった場合、受け取った使用済みの２次電池を利用者に返却する。
【００６７】
実施例２の交換情報の管理判別システムに表示手段を加えた場合の利用の流れを説明する、交換サービスの実施者は使用済みの２次電池とＩＣカードを交換サービスの利用者から受け取ると、受け取った使用済みの２次電池とＩＣカードをＩＣリーダの読み込み位置に持っていき、交換情報の読み込み及び判別を行う。表示手段が表示する判別結果が交換可能であった場合、充電済みの２次電池とＩＣカードを書込み手段の書込み位置に持っていき交換情報の書込みを行い充電済みの２次電池とＩＣカードを利用者に渡し、表示手段が表示する判別結果が交換不可能であった場合、受け取った使用済みの２次電池とＩＣカードを利用者に返却する。
【００６８】
実施例３の交換情報の管理判別システムに表示手段を加えた場合の利用の流れを説明する、交換サービスの実施者は使用済みの２次電池とＩＣカードを交換サービスの利用者から受け取ると、受け取ったＩＣカードをＩＣリーダの読み込み位置に持っていき、交換情報の読み込み及び判別を行う。表示手段が表示する判別結果が交換可能であった場合、ＩＣカードを書込み手段の書込み位置に持っていき交換情報として利用履歴情報の書込みを行い充電済みの２次電池とＩＣカードを利用者に渡し、表示手段が表示する判別結果が交換不可能であった場合、受け取った使用済みの２次電池とＩＣカードを利用者に返却する。
【００６９】
交換情報の読み込み及び書込みは、記憶手段を近づけることで、自動で開始するようにしてもよいし、交換サービスの実施者による操作のあと開始されるようにしてもよい。実施者の操作のあと開始するようにする場合には、操作手段を交換システムに加える。また、交換情報の書込みは判別手段の判別結果が交換可能であった場合にのみ可能とすることがより望ましい。操作手段はタッチパネルやスイッチやキーボードなど周知のものから操作に最適なものを用いればよくこの限りでは無い。
【００７０】
利用者が交換サービスを利用する際の例を、利用者が交換サービスを新たに利用する際に記憶手段に、交換サービスの交換情報がすでに書き込まれている場合と、交換情報が書き込まれていない場合と、の２つの場合について説明する。
【００７１】
利用者が交換サービスを新たに利用する際に２次電池に、交換サービスの交換情報がすでに書き込まれている場合の一例を説明する。
（イ）２次電池を取得する。
（ロ）２次電池を使用する。
（ハ）使用済みの２次電池と、充電済みの２次電池と、を、交換システムを用いて交換し充電済みの２次電池を取得する。
（ニ）２次電池に新たな交換システムの利用に関する情報を書き込む。
利用者は新たに交換システムを利用する際にのみ（イ）を行うことで、交換システムの利用条件を満たす間は、（ロ）と（ハ）を繰り返し行う事ができ、交換システムの利用条件を満たさなくなった場合は（ニ）を行うことで、再度（ロ）と（ハ）を交換システムの利用条件を満たす間は、繰り返し行う事ができるようになる。
【００７２】
利用者が交換システムを新たに利用する際に取得する２次電池に。交換システムの利用に関する情報が書き込まれていない場合の一例を説明する。
（い）２次電池を取得する。
（ろ）２次電池を使用する。
（は）使用済みの２次電池と、充電済みの２次電池と、を、交換システムを用いて交換し充電済みの２次電池を取得する。
（に）２次電池に新たな交換システムの利用に関する情報を書き込む。
利用者は新たに交換システムを利用する際にのみ（い）と（に）を行うことで、交換システムの利用条件を満たす間は、（ろ）と（は）を繰り返し行う事ができ、交換システムの利用条件を満たさなくなった場合は（に）を行うことで、再度（ろ）と（は）を交換システムの利用条件を満たす間は、繰り返し行う事ができるようになる。
【００７３】
新たに交換システムを利用する際、もしくは交換システムの情報を変更する際に、交換情報を書き込む第２の書込み手段は、新たに２次電池の交換システムを利用する際もしくは交換情報を変更する際に、２次電池の記憶手段に交換情報を書き込むための手段である。ここでいう新たとは、一度も交換サービスを利用したことが無く初めて交換サービスを利用する場合、交換サービスの利用を止め再度交換サービスの利用を開始する場合、交換サービスの利用を行っている２次電池とは別の２次電池で利用を開始する場合、などである。
【００７４】
第２の書込み手段は交換情報の管理判別システムに用いられている書込み手段とは別に具備することが望ましいが、交換情報の管理判別システムに用いられている書込み手段を第２の書込み手段として用いてもよい。
【００７５】
充電手段は、２次電池の充電が可能であればよく、接触方式のもの、非接触方式のものなど周知のものがあり最適なものを用いればよくこの限りでは無い。
【実施例５】
【００７６】
交換の対象物を２次電池とし、実施例１から３までの交換情報の管理判別システムおよび判別システムに交換手段と新たに交換システムを利用する際もしくは交換情報を変更する際に交換情報を書き込む第２の書込み手段を加え、交換装置とし、交換装置を利用した交換方法を説明する。交換装置の交換対象物が２次電池の場合２次電池の充電手段も加えることがより望ましい。
【００７７】
交換手段は、判別結果に基づき２次電池の交換を行うものである。交換手段は判別手段が交換条件を判別し交換条件を満たすと判別した場合に交換を行う。交換手段は例えば２次電池の挿入部を設け、挿入部に挿入した２次電池を格納部に格納する格納手段と、格納部から２次電池を搬出する搬出手段から構成すればよい。交換手段はこの限りではなく判別手段の判別結果に基づいて２次電池を交換できるものであればよい。２次電池の充電手段は２次電池の格納部に具備し、２次電池は格納部で充電可能とすることがより望ましい。
【００７８】
実施例５の交換装置を利用した交換サービスについて説明する。
【００７９】
実施例５の交換装置を利用した交換サービスは、交換サービスの利用者が交換装置を利用して交換を行うものである。
【００８０】
実施例１の交換情報の管理判別システムに交換手段を加えた場合、交換サービスの利用者は使用済みの２次電池を挿入部に挿入し、交換情報の読み込み及び判別を行う。判別結果が交換可能であった場合、充電済みの２次電池に交換情報の書込みを行い、書込みを行った充電済みの２次電池を取得する、表示手段が表示する判別結果が交換不可能であった場合、挿入した使用済みの２次電池を取得する。
【００８１】
実施例２の交換情報の管理判別システムに交換手段を加えた場合、交換サービスの利用者は使用済みの２次電池を挿入部に挿入し、ＩＣカードをＩＣリーダの読み込み位置に持っていき、交換情報の読み込み及び判別を行う。表示手段が表示する判別結果が交換可能であった場合、充電済みの２次電池とＩＣカードに交換情報の書込みを行い、書込みを行った充電済みの２次電池を取得する、判別結果が交換不可能であった場合、挿入した使用済みの２次電池を取得する。
【００８２】
実施例３の交換情報の管理判別システムに交換手段を加えた場合、交換サービスの利用者は使用済みの２次電池を挿入部に挿入し、ＩＣカードをＩＣリーダの読み込み位置に持っていき、交換情報の読み込み及び判別を行う。表示手段が表示する判別結果が交換可能であった場合、ＩＣカードに利用履歴情報の書込みを行い充電済みの２次電池と取得する、表示手段が表示する判別結果が交換不可能であった場合、挿入した使用済みの２次電池を取得する。
【００８３】
交換情報の読み込み及び書込みは、記憶手段を近づけることで、自動で開始するようにしてもよいし、利用者による操作のあと開始されるようにしてもよい。実施者の操作のあと開始するようにする場合には、操作手段を交換システムに加える。また、交換情報の書込みは判別手段の判別結果が交換可能であった場合にのみ可能であることがより望ましい。操作手段はタッチパネルやスイッチやキーボードなど周知のものから操作に最適なものを用いればよくこの限りでは無い。
【００８４】
利用者が交換サービスを利用する際の例を、利用者が交換サービスを新たに利用する際に記憶手段に、交換サービスの交換情報がすでに書き込まれている場合と、交換情報が書き込まれていない場合と、の２つの場合について説明する。
【００８５】
利用者が交換サービスを新たに利用する際に２次電池に、交換サービスの交換情報がすでに書き込まれている場合の一例を説明する。
（イ）２次電池を取得する。
（ロ）２次電池を使用する。
（ハ）使用済みの２次電池と、充電済みの２次電池と、を、交換装置を用いて交換し充電済みの２次電池を取得する。
（ニ）２次電池に新たな交換システムの利用に関する情報を書き込む。
利用者は新たに交換システムを利用する際にのみ（イ）を行うことで、交換システムの利用条件を満たす間（ロ）と（ハ）を繰り返し行う事ができ、交換システムの利用条件を満たさなくなった場合は（ニ）を行うことで、再度（ロ）と（ハ）を交換システムの利用条件を満たす間、繰り返し行う事ができるようになる。
【００８６】
利用者が交換システムを新たに利用する際に取得する２次電池に。交換システムの利用に関する情報が書き込まれていない場合の一例を説明する。
（い）２次電池を取得する。
（ろ）２次電池を使用する。
（は）使用済みの２次電池と、充電済みの２次電池と、を、交換装置を用いて交換し充電済みの２次電池を取得する。
（に）２次電池に新たな交換システムの利用に関する情報を書き込む。
利用者は新たに交換システムを利用する際にのみ（い）と（に）を行うことで、交換システムの利用条件を満たす間（は）と（ろ）を繰り返し行う事ができ、交換システムの利用条件を満たさなくなった場合は（に）を行うことで、再度（は）と（ろ）を交換システムの利用条件を満たす間、繰り返し行う事ができるようになる。
【手続補正２】
【補正対象書類名】特許請求の範囲
【補正対象項目名】全文
【補正方法】変更
【補正の内容】
【特許請求の範囲】
【請求項１】
交換の対象物に具備する記憶手段と、
前記対象物の記憶手段の情報を読み込む読み込み手段と、
前記対象物の記憶手段に情報を書き込む書込み手段と、
情報を処理する処理手段と、
からなる、交換情報の管理システムであって、
前記処理手段が前記対象物の記憶手段の情報を基にした情報を、別の前記対象物の記憶手段に書き込む処理を行うことを特徴とする、交換情報の管理システム。
【請求項２】
情報を記憶する記憶手段を具備する２次電池と、
前記２次電池の記憶手段の情報を読み込む読み込み手段と、
前記２次電池の記憶手段に情報を書き込む書込み手段と、
情報を処理する情報の処理手段と、
からなる、交換情報の管理システムであって、
前記処理手段が使用済みの前記２次電池の記憶手段の情報を基にした情報を、充電済みの前記２次電池の記憶手段に書き込む処理を行うことを特徴とする、交換情報の管理システム。
【請求項３】
交換の対象物に具備する記憶手段と、
携帯可能な記憶手段と、
記憶手段に情報を書き込む書込み手段と、
記憶手段の情報を読み込む読み込み手段と、
情報の処理手段と、
からなる、交換情報の管理システムであって、
処理手段が、前記対象物の記憶手段、および、前記携帯可能な記憶手段、の少なくとも１つに、交換により入手する前記対象物と、前記携帯可能な記憶手段と、を関連付ける情報を書き込む処理を行うことを特徴とする交換情報の管理システム。
【請求項４】
請求項１および請求項３において、交換の対象物が２次電池であることを特徴とする、交換情報の管理システム。
【請求項５】
請求項１および請求項２および請求項４の少なくとも１つにおいて、交換の対象物を交換することが可能かを判別するための判別手段を具備することを特徴とする、交換情報の管理判別システム。
【請求項６】
携帯可能な記憶手段と、
前記携帯可能な記憶手段の情報を読み込む読み込み手段と、
前記読み込み手段により読み込んだ情報が、交換条件を満たすかを判別するための判別手段と、
からなる、交換システムであって、
前記判別手段が、前記読み込み手段が読み込んだ利用履歴を基に交換の可否の判別を行う事を特徴とする、交換情報の判別システム。
【請求項７】
請求項５および請求項６の少なくとも１つの、管理判別システムおよび判別システムを用いた交換方法であって、判別結果をもとに交換を行う事を特徴とする交換方法。